【事件の表示】
　特願２００３−１６１９０６「流体射出およびスキャンアセンブリ」拒絶査定不服審判事件〔平成１６年　１月２９日出願公開、特開２００４−　２５８６６〕について、次のとおり審決する。
【結　論】
　本件審判の請求は、成り立たない。
【理　由】
第１　手続の経緯
　本願は、平成１５年６月６日（優先権主張：２００２年６月７日、米国）の出願であって、平成１９年３月１２日に手続補正がなされ、同年５月１５日付けで拒絶査定がなされ、これに対して、同年８月１５日に拒絶査定不服審判の請求がなされるとともに、同日に手続補正がなされたものである。
　
第２　本願発明
　本願の請求項１に係る発明（以下「本願発明」という。）は、平成１９年８月１５日の手続補正により補正された明細書及び図面の記載からみて、その特許請求の範囲の請求項１に記載された事項によって特定される、次のとおりのものである。
　
「【請求項１】　作動すると、それぞれ関連するノズルチャンバから流体が射出されるようにする複数の滴射出素子と、
　それぞれ関連する前記射出素子に結合し、光源によって照射されると該射出素子を作動させるよう構成されている第１の複数の光センサと、
　媒体から反射する光に基づいて画像データを取り込む第２の複数の光センサと、
を含み、
　前記第１の複数の光センサは、フォトダイオードまたはフォトトランジスタであり、前記第２の複数の光センサは、異なる空間周波数を有する２つのグループの光センサに組織化されている、流体射出およびスキャンアセンブリ。」
　
第３　引用刊行物及び引用発明
　原査定の拒絶の理由に引用され、本願の優先日前に頒布された刊行物である特開平８−８０６０９号公報（以下「引用例」という。）には、以下の事項が図とともに記載されている。（下線は審決で付した。以下同じ。）
　
１　「【００２３】図２は図１中の記録ヘッド５の概略構造を示す部分斜視図である。
記録ヘッド５
には、
複数の吐出口８２と、各吐出口８２に供給するためのインクを貯えるインク液室（共通液室）８３と、各吐出口８２と共通液室８３とを連通する不図示の複数のインク流路（液路）８４と、各液路８４の一部に設けられてインク吐出用のエネルギーを発生するエネルギー発生素子８５（不図示）と
が設けられ
【００２５】…（略）…共通液室８３と各吐出口８２とを連通する各液路８４の壁面に沿って
インク吐出用のエネルギーを発生するための電気熱変換体
画像信号または吐出信号に基づいて対応する電気熱変換体８５を駆動（通電）して、液路８４内のインクを膜沸騰させ、その時に発生する圧力により吐出口８２からインクを吐出して記録を行う記録ヘッド５
【００２６】…（略）…
【００２７】また、
記録ヘッド５内にはイメージセンサ２０が一体に作り込まれ
【００２８】…（略）…なお、
前記イメージセンサ２０は、図５に示すように、吐出口８２の配列の全長（全幅）より長い（広い）エリアをカバーする長さ（幅）の有効長（有効幅）を有している
　
２　図４から、
イメージセンサ２０の受光トランジスタ２１は、被記録材１５から反射する光を受光する
　
３　上記１及び２から、引用例には、次の発明（以下「引用発明」という。）が記載されていると認められる。
　
「複数の吐出口と、各吐出口に供給するためのインクを貯える共通液室と、各吐出口と共通液室とを連通する複数の液路と、各液路の一部に設けられた電気熱変換体とが設けられ、画像信号に基づいて対応する電気熱変換体を駆動して、液路内のインクを膜沸騰させ、その時に発生する圧力により吐出口からインクを吐出して記録を行う記録ヘッドであって、
　前記記録ヘッド内には、前記吐出口の配列の全長より長いエリアをカバーする長さの有効長を有するイメージセンサが一体に作り込まれ、
　前記イメージセンサの受光トランジスタは、被記録材から反射する光を受光する、
　記録ヘッド。」
　
第４　対比
　本願発明と引用発明とを対比する。
１　引用発明の「インク」、「液路」、「各液路の一部に設けられた電気熱変換体」、「駆動」、「吐出」、「『イメージセンサが一体に作り込まれ』た『記録ヘッド』」、「受光トランジスタ」及び「被記録材」は、それぞれ、本願発明の「流体」、「ノズルチャンバ」、「複数の滴射出素子」、「作動」、「射出」、「流体射出およびスキャンアセンブリ」、「光センサ」及び「媒体」に相当する。
　
２　引用発明の「複数の滴射出素子（各液路の一部に設けられた電気熱変換体）」は、画像信号に基づいて駆動（作動）され、各液路（ノズルチャンバ）内のインク（流体）を膜沸騰させ、その時に発生する圧力により吐出口からインクを吐出（射出）するものであるから、本願発明の「複数の滴射出素子」と、「作動すると、それぞれ関連するノズルチャンバから流体が射出されるようにする」ものである点で一致する。
　
３　引用発明の「光センサ（受光トランジスタ）」は、イメージセンサの一部をなし、被記録材（媒体）から反射する光を受光するものであるところ、イメージセンサは画像データを取り込むものといえるから、引用発明の「光センサ」は、「媒体から反射する光に基づいて画像データを取り込む」ものといえる。
　
４　引用発明において、「イメージセンサ」は、吐出口の配列の全長より長いエリアをカバーする長さの有効長を有するものであるから、その一部をなし、被記録材（媒体）から反射する光を受光する「光センサ（受光トランジスタ）」は、前記有効長に対応して複数個あることが明らかである。
　
５　上記３及び４から、引用発明の「光センサ」と本願発明の「第２の複数の光センサ」とは、「媒体から反射する光に基づいて画像データを取り込む複数の」ものである点で一致する。
　
６　上記１ないし５から、本願発明と引用発明とは、
「作動すると、それぞれ関連するノズルチャンバから流体が射出されるようにする複数の滴射出素子と、
　媒体から反射する光に基づいて画像データを取り込む複数の光センサと、
を含む、流体射出およびスキャンアセンブリ。」である点で一致し、次の点で相違する。
　
相違点１：
　本願発明が、「それぞれ関連する前記射出素子に結合し、光源によって照射されると該射出素子を作動させるよう構成され」ている、「フォトダイオードまたはフォトトランジスタ」である「第１の複数の光センサ」をさらに含むのに対して、引用発明は、そのような光センサを含まない点。
　
相違点２：
　前記媒体から反射する光に基づいて画像データを取り込む複数の光センサが、本願発明では、「異なる空間周波数を有する２つのグループの光センサに組織化され」ているのに対して、引用発明では、そうなっていない点。
　
第５　判断
　上記相違点１及び２について検討する。
１　相違点１について
（１）スイッチング素子である光導電体への光の照射に応じて駆動されるインクジェットヘッドは、本願の優先日前に周知である（以下「周知技術１」という。例．特開平１０−１６２５８号公報（【請求項１】、【請求項５】、図３及び図５参照。【請求項１】には「基板の表面あるいは前記基板の内部に形成され、画像信号に応じた
光ビームの照射を受けて導電性を呈する光導電部
光導電部の前記導電性に基づいて供給される駆動電流によって画像記録を行う
光入力型印字記録ヘッド
前記駆動電流の供給に基づいて前記インクを加熱して前記ノズルから前記インク滴を吐出させる発熱部材
光導電体部材への光照射の有無もしくは強弱に従って前記ピエゾ素子に印加される電圧を変化せしめ、前記インク粒の噴出を制御する
インクジェット記録ヘッド
（２）スイッチング素子として、光導電体、フォトダイオード及びフォトトランジスタは、いずれも本願の優先日前に周知である（以下「周知技術２」という。例．特開平３−１３２０８１号公報（第２ページ左下欄第１９行〜右下欄第５行参照。「
フォトダイオード、フォトトランジスター、光導電素子
スイッチング素子
受光スイッチング素子
光導電セル、フォトダイオード、又はフォトトランジスタ
（３）したがって、引用発明の電気熱変換体を、スイッチング素子である光導電体への光の照射に応じて駆動されるものとするとともに、当該スイッチング素子として、光導電体に代えてフォトダイオード又はフォトトランジスタを用いて、上記相違点１に係る本願発明の構成となすことは、当業者が周知技術１及び周知技術２に基づいて容易に想到し得たことである。
　
２　相違点２について
（１）読取素子の配列ピッチが異なる２つのイメージセンサを設けることは、本願の優先日前に周知である（以下「周知技術３」という。例．特開昭６３−７９４７１号公報（第４ページ右上欄第１６行〜第５ページ左上欄第１４行、第６図及び第７図参照。「１，２は
画像入力を受ける第１及び第２のイメージセンサ
原稿３１からの反射光（光画像情報）は
第１のイメージセンサ１と第２のイメージセンサ２に入る
イメージセンサ１，２は
センサ素子（光電変換素子）の取付ピッチをそれぞれｄ
１
，ｄ
２
としている
センサ素子の間隔ｄ
１
，ｄ
２
が異なっている
画情報を読み取り電気信号に変換するため一のピッチで配列された複数の受光部を備えている一の光電変換素子と、画情報を読み取り電気信号に変換するため前記一のピッチと異なる他のピッチで配列された複数の受光部を備えている他の光電変換素子とを備えている
画像読み取り装置
（２）したがって、引用発明のイメージセンサを、読取素子の配列ピッチが異なる２つのイメージセンサとすることは、当業者が周知技術３に基づいて容易に想到し得たことである。
（３）上記（２）で、引用発明のイメージセンサを、読取素子の配列ピッチが異なる２つのイメージセンサとすれば、当該２つのイメージセンサそれぞれの一部をなす複数の受光トランジスタ（光センサ）は、本願発明でいうところの「異なる空間周波数を有する２つのグループの光センサに組織化され」ているものとなる。
（４）よって、引用発明において、上記相違点２に係る本願発明の構成となすことは、当業者が周知技術３に基づいて容易に想到し得たことである。
　
３　効果について
　本願発明が奏する効果は、引用発明が奏する効果、周知技術１が奏する効果、周知技術２が奏する効果及び周知技術３が奏する効果から当業者が予測し得たものである。
　
４　まとめ
　以上のとおり、本願の請求項１に係る発明は、当業者が、引用例に記載された発明並びに周知技術１、周知技術２及び周知技術３に基づいて容易に発明をすることができたものである。
　
第６　むすび
　上記第５のとおり、本願の請求項１に係る発明は、当業者が、引用例に記載された発明並びに周知技術１、周知技術２及び周知技術３に基づいて容易に発明をすることができたものであるから、特許法第２９条第２項の規定により特許を受けることができない。
　よって、結論のとおり審決する。